(57)【要約】      （修正有）【課題】  複数本の並列した細線同軸ケーブルにおけるグランドの強化およびノイズ放射の低減を目的とするものである。【解決手段】  ケーブル側コネクタに細線同軸ケーブルの並列方向におけるケーブル側接地板金部材の少なくとも中央域と導通するケーブル側接地コンタクトを設ける一方、基板側コネクタに配線基板の接地パターンと接続され且つケーブル側コネクタとの結合時にケーブル側接地コンタクトと接触導通する基板側接地コンタクトを設ける。  又、ケーブル側コネクタに特定の細線同軸ケーブルに対する近傍の細線同軸ケーブルの外部導体と導通するケーブル側接地コンタクトを設ける一方、基板側コネクタに配線基板の接地パターンと接続され且つケーブル側コネクタとの結合時にケーブル側接地コンタクトと接触導通する基板側接地コンタクトを設ける。【選択図】  図３
2006269112.tif 000002
【特許請求の範囲】
【請求項１】
複数本の並列した細線同軸ケーブルの端部に設けられ、前記細線同軸ケーブルの並列方向に延在し且つ前記細線同軸ケーブルの外部導体と導通するケーブル側接地板金部材と、前記細線同軸ケーブルの中心導体と導通するケーブル側コンタクトとを有するケーブル側コネクタと、
配線基板上に固定設置され、前記配線基板の接地パターンと接続され且つ前記ケーブル側コネクタとの結合時に前記ケーブル側接地板金部材の両端部と接触導通する基板側接地板金部材と、前記配線基板の配線パターンと接続され且つ前記ケーブル側コネクタとの結合時に前記ケーブル側コンタクトと接触導通する基板側コンタクトとを有する基板側コネクタと、
を具備して成る細線同軸ケーブル用コネクタであって、
前記ケーブル側コネクタに、前記細線同軸ケーブルの並列方向における前記ケーブル側接地板金部材の少なくとも中央域と導通するケーブル側接地コンタクトを設ける一方、
前記基板側コネクタに、前記配線基板の接地パターンと接続され且つ前記ケーブル側コネクタとの結合時に前記ケーブル側接地コンタクトと接触導通する基板側接地コンタクトを設けて成ることを特徴とする細線同軸ケーブル用コネクタ。
【請求項２】
複数本の並列した細線同軸ケーブルの端部に設けられ、前記細線同軸ケーブルの並列方向に延在し且つ前記細線同軸ケーブルの外部導体と導通するケーブル側接地板金部材と、前記細線同軸ケーブルの中心導体と導通するケーブル側コンタクトとを有するケーブル側コネクタと、
配線基板上に固定設置され、前記配線基板の接地パターンと接続され且つ前記ケーブル側コネクタとの結合時に前記ケーブル側接地板金部材の両端部と接触導通する基板側接地板金部材と、前記配線基板の配線パターンと接続され且つ前記ケーブル側コネクタとの結合時に前記ケーブル側コンタクトと接触導通する基板側コンタクトとを有する基板側コネクタと、
を具備して成る細線同軸ケーブル用コネクタであって、
前記ケーブル側コネクタに、特定の前記細線同軸ケーブルに対する近傍の細線同軸ケーブルの外部導体と導通するケーブル側接地コンタクトを設ける一方、
前記基板側コネクタに、前記配線基板の接地パターンと接続され且つ前記ケーブル側コネクタとの結合時に前記ケーブル側接地コンタクトと接触導通する基板側接地コンタクトを設けて成ることを特徴とする細線同軸ケーブル用コネクタ。
【請求項３】
前記特定の細線同軸ケーブルに対する近傍の細線同軸ケーブルは、前記特定の細線同軸ケーブルに隣接していることを特徴とする請求項２記載の細線同軸ケーブル用コネクタ。
【請求項４】
前記特定の細線同軸ケーブルに対する近傍の細線同軸ケーブルは、特定の並行する２本の細線同軸ケーブルの間に位置していることを特徴とする請求項２記載の細線同軸ケーブル用コネクタ。
【発明の詳細な説明】
【技術分野】
【０００１】
本発明は、複数本の並列した細線同軸ケーブルの端部に設けられたケーブル側コネクタと、配線基板上に固定設置された基板側コネクタとを具備し、互いに結合することによって、細線同軸ケーブルの中心導体と配線基板の配線パターンとを導通させる細線同軸ケーブル用コネクタに関するものである。
【背景技術】
【０００２】
種々の電子機器、例えば昨今の携帯電話機においては、操作キーを備えた本体と表示画面を備えた蓋体と開閉自在かつ旋回可能に連結したものが提供されており、このような構造の携帯電話機においては、図１５に示す如く本体に収容される配線基板Ａ１の配線パターンと、蓋体に収容される配線基板Ａ２の配線パターンとを、細線同軸ケーブル用コネクタＨ，Ｖを介して複数本の並列する細線同軸ケーブルＣ，Ｃ…により互いに接続している。
【０００３】
図１６〜図２０に示す如く、上記細線同軸ケーブルＣ，Ｃ…と配線基板Ａ１とを接続する横挿し型の細線同軸ケーブル用コネクタＨは、細線同軸ケーブルＣ(以下、ケーブルＣと称する)の端部に設けられたケーブル側コネクタＩと、配線基板Ａ１に固定設置された基板側コネクタＪとを具備している。
【０００４】
上記ケーブル側コネクタＩは、ケーブルＣ，Ｃ…の並列方向に沿って延在する絶縁体Ｉｍに、各々のケーブルＣの先端部が装着されており、上記絶縁体Ｉｍの外部には、その長手方向(ケーブルＣ，Ｃ…の並列方向)に延在して、上記絶縁体Ｉｍの上面と左右の側面とを覆う、下向きのコ字状を呈するケーブル側接地板金部材Ｉｇが設けられている。
【０００５】
上記ケーブル側接地板金部材Ｉｇは、各々のケーブルＣにおける外部導体Ｃｏと圧着やハンダ付け等の手段によって導通しており、またケーブルＣ，Ｃ…における中心導体Ｃｓ，Ｃｓ…は、絶縁体Ｉｍの先端部に設けられたケーブル側コンタクトＩｃ，Ｉｃ…と各々接続(ハンダ付け等)されている。
【０００６】
一方、上記基板側コネクタＪは、ケーブル側コネクタＩの絶縁体Ｉｍを受容する絶縁体Ｊｍを有し、この絶縁体Ｊｍには、ケーブル側コネクタＩとの結合時にケーブル側コンタクトＩｃ，Ｉｃ…と個々に接触導通する基板側コンタクトＪｃ，Ｊｃ…が設けられ、これら基板側コンタクトＪｃ，Ｊｃ…は絶縁体Ｊｍの外部に延び、配線基板Ａ１に形成された配線パターンＡ１ｓ，Ａ１ｓ…と、ハンダ付け等の手段によって接続されている。
【０００７】
また、上記絶縁体Ｊｍの外部には、基板側コネクタＪに結合した状態におけるケーブル側コネクタＩの上面と左右の側面とを囲繞する、下向きのコ字状を呈する基板側接地板金部材Ｊｇが設けられており、この基板側接地板金部材Ｊｇにおける左右の側板は、配線基板Ａ１に形成された接地パターンＡ１ｇ，Ａ１ｇと、ハンダ付け等の手段によって接続されている。
【０００８】
さらに、上記基板接地板金部材Ｊｇにおける左右の側板には、それぞれ内方に向けて舌片Ｊｔ，Ｊｔが突出形成されており、基板側コネクタＪにケーブル側コネクタＩを結合した際、上記舌片Ｊｔ，Ｊｔがケーブル側コネクタＩのケーブル側接地板金部材Ｉｇと接触することで、細線同軸ケーブルＣ，Ｃ…の外部導体Ｃｏが、ケーブル側接地板金部材Ｉｇと基板側接地板金部材Ｊｇとを介して配線基板Ａ１の接地パターンＡ１ｇと導通し、もって細線同軸ケーブルＣ，Ｃ…がグランドされることとなる。
【０００９】
また、図２１〜図２５に示す如く、上記細線同軸ケーブルＣ，Ｃ…と配線基板Ａ２とを接続する縦挿し型の細線同軸ケーブル用コネクタＶは、ケーブルＣの端部に設けられたケーブル側コネクタＷと、配線基板Ａ２に固定設置された基板側コネクタＸとを具備している。
【００１０】
上記ケーブル側コネクタＷは、ケーブルＣ，Ｃ…の並列方向に沿って延在する絶縁体Ｗｍに、各々のケーブルＣの先端部が装着されており、上記絶縁体Ｗｍの外部には、その長手方向(ケーブルＣ，Ｃ…の並列方向)に延在して、上記絶縁体Ｗｍの上面と左右の側面とを覆う、下向きのコ字状を呈するケーブル側接地板金部材Ｗｇが設けられている。
【００１１】
上記ケーブル側接地板金部材Ｗｇは、各々のケーブルＣにおける外部導体Ｃｏと圧接やハンダ付け等の手段によって導通しており、またケーブルＣ，Ｃ…における中心導体Ｃｓ，Ｃｓ…は、絶縁体Ｗｍの下方部に設けられたケーブル側コンタクトＷｃ，Ｗｃ…と各々接続(ハンダ付け等)されている。
【００１２】
一方、上記基板側コネクタＸは、ケーブル側コネクタＷの絶縁体Ｗｍを受容する絶縁体Ｘｍを有し、この絶縁体Ｘｍには、ケーブル側コネクタＷとの結合時にケーブル側コンタクトＷｃ，Ｗｃ…と個々に接触導通する基板側コンタクトＸｃ，Ｘｃ…が設けられ、これら基板側コンタクトＸｃ，Ｘｃ…は絶縁体Ｘｍの外部に延び、配線基板Ａ２に形成された配線パターンＡ２ｓ，Ａ２ｓ…と、ハンダ付け等の手段によって接続されている。
【００１３】
また、上記絶縁体Ｘｍの外部には、絶縁体Ｘｍの背面と左右の側面とを覆う、前向きのコ字状を呈する基板側接地板金部材Ｘｇが設けられており、この基板側接地板金部材Ｘｇにおける左右の側板は、配線基板Ａ２に形成された接地パターンＡ２ｇ，Ａ２ｇと、ハンダ付け等の手段によって接続されている。
【００１４】
上記基板側コネクタＸにケーブル側コネクタＷを結合した際、基板側接地板金部材Ｘｇにおける左右の側板と、ケーブル側コネクタＩにおけるケーブル側接地板金部材Ｉｇにおける左右の側板とが互いに接触することで、細線同軸ケーブルＣ，Ｃ…の外部導体Ｃｏが、ケーブル側接地板金部材Ｗｇと基板側接地板金部材Ｘｇとを介して配線基板Ａ２の接地パターンＡ２ｇと導通し、もって細線同軸ケーブルＣ，Ｃ…がグランドされることとなる。
【００１５】
ここで、出願人の知っている上述の如き先行技術は、公知・公用の技術であって文献公知発明に係わるものではなく、もって記載すべき先行技術文献情報はない。
【発明の開示】
【発明が解決しようとする課題】
【００１６】
ところで、上述した従来の細線同軸ケーブル用コネクタにおいては、配線基板の接地パターンと接続されている基板側コネクタの基板側接地板金部材に、ケーブル側コネクタにおけるケーブル側接地板金部材の左右の端部を接触させることによって、並列した複数本の細線同軸ケーブルをグランドしているため、特にケーブル側コネクタの中央域に装着されている細線同軸ケーブルのグランドが弱く、コネクタおよび細線同軸ケーブルからノイズを放射する問題があった。
【００１７】
また、従来の細線同軸ケーブル用コネクタにおいては、上述した如く全ての細線同軸ケーブルのグランドを均一に強くできないため、並列した細線同軸ケーブルの中に信号のノイズが大きい特定の細線同軸ケーブルが存在する場合、上記特定の細線同軸ケーブルからのノイズの放射を抑えることが困難であった。
【００１８】
上記実状に鑑みて本発明の目的は、グランドの強化を達成することができ、もってノイズの放射を可及的に防止し得る、細線同軸ケーブル用コネクタを提供することにある。
【課題を解決するための手段】
【００１９】
上記目的を達成するべく、請求項１の発明に関わる細線同軸ケーブル用コネクタは、複数本の並列した細線同軸ケーブルの端部に設けられ、細線同軸ケーブルの並列方向に延在し且つ細線同軸ケーブルの外部導体と導通するケーブル側接地板金部材、および細線同軸ケーブルの中心導体と導通するケーブル側コンタクトを有するケーブル側コネクタと、配線基板上に固定設置され、配線基板の接地パターンと接続され且つケーブル側コネクタとの結合時にケーブル側接地板金部材の両端部と接触導通する基板側接地板金部材、および配線基板の配線パターンと接続され且つケーブル側コネクタとの結合時にケーブル側コンタクトと接触導通する基板側コンタクトを有する基板側コネクタとを具備して成る細線同軸ケーブル用コネクタにおいて、ケーブル側コネクタに、細線同軸ケーブルの並列方向におけるケーブル側接地板金部材の少なくとも中央域と導通するケーブル側接地コンタクトを設ける一方、基板側コネクタに、配線基板の接地パターンと接続され且つケーブル側コネクタとの結合時にケーブル側接地コンタクトと接触導通する基板側接地コンタクトを設けて成ることを特徴としている。
【００２０】
請求項２の発明に関わる細線同軸ケーブル用コネクタは、複数本の並列した細線同軸ケーブルの端部に設けられ、細線同軸ケーブルの並列方向に延在し且つ細線同軸ケーブルの外部導体と導通するケーブル側接地板金部材、および細線同軸ケーブルの中心導体と導通するケーブル側コンタクトを有するケーブル側コネクタと、配線基板上に固定設置され、配線基板の接地パターンと接続され且つケーブル側コネクタとの結合時にケーブル側接地板金部材の両端部と接触導通する基板側接地板金部材、および配線基板の配線パターンと接続され且つケーブル側コネクタとの結合時にケーブル側コンタクトと接触導通する基板側コンタクトを有する基板側コネクタとを具備して成る細線同軸ケーブル用コネクタにおいて、ケーブル側コネクタに、特定の細線同軸ケーブルに対する近傍の細線同軸ケーブルの外部導体と導通するケーブル側接地コンタクトを設ける一方、基板側コネクタに、配線基板の接地パターンと接続され且つケーブル側コネクタとの結合時にケーブル側接地コンタクトと接触導通する基板側接地コンタクトを設けて成ることを特徴としている。
【００２１】
請求項３の発明に関わる細線同軸ケーブル用コネクタは、請求項２の発明に関わる細線同軸ケーブル用コネクタにおいて、特定の細線同軸ケーブルに対する近傍の細線同軸ケーブルが、特定の細線同軸ケーブルに隣接していることを特徴としている。
【００２２】
請求項４の発明に関わる細線同軸ケーブル用コネクタは、請求項２の発明に関わる細線同軸ケーブル用コネクタにおいて、特定の細線同軸ケーブルに対する近傍の細線同軸ケーブルは、特定の並行する２本の細線同軸ケーブルの間に位置していることを特徴としている。
【発明の効果】
【００２３】
請求項１の発明に関わる細線同軸ケーブル用コネクタでは、ケーブル側コネクタと基板側コネクタとを結合した際、ケーブル側接地板金部材の少なくとも中央域と導通するケーブル側接地コンタクトと、配線基板の接地パターンに接続された基板側接地コンタクトとが接触導通することで、ケーブル側コネクタの幅方向の全域に亘って細線同軸ケーブルのグランドが強化され、もってコネクタおよび細線同軸ケーブルから放射するノイズを可及的に抑えることが可能となる。
【００２４】
請求項２の発明に関わる細線同軸ケーブル用コネクタでは、ケーブル側コネクタと基板側コネクタとを結合した際、特定の細線同軸ケーブルに対する近傍の細線同軸ケーブルの外部導体と導通するケーブル側接地コンタクトと、配線基板の接地パターンに接続された基板側接地コンタクトとが接触導通することで、特定の細線同軸ケーブルからのノイズの放射量を少なくすることが可能となる。
【００２５】
請求項３の発明に関わる細線同軸ケーブル用コネクタでは、配線基板の接地パターンに接続される細線同軸ケーブルを、特定の細線同軸ケーブルに隣接させたことで、上記特定の細線同軸ケーブルからのノイズの放射量をより効果的に抑えることができる。
【００２６】
請求項４の発明に関わる細線同軸ケーブル用コネクタでは、配線基板の接地パターンに接続される細線同軸ケーブルを、特定の並行する２本の細線同軸ケーブルの間に位置させたことで、上記特定の並行する２本の細線同軸ケーブルからのノイズの放射量を効果的に抑えることができる。
【発明を実施するための最良の形態】
【００２７】
以下、実施例を示す図面に基づいて、本発明を詳細に説明する。  
図１〜図１４は、例えば携帯電話機電話機における配線基板と複数本の並列した細線同軸ケーブルとを接続する細線同軸ケーブル用コネクタに本発明を適用した実施例を示しており、図１〜図７は本発明を適用した横挿し型の細線同軸ケーブル用コネクタを示し、図８〜図１４は本発明を適用した縦挿し型の細線同軸ケーブル用コネクタを示している。
【００２８】
図１〜図３に示す、並列した細線同軸ケーブルＣ，Ｃ…と配線基板Ａ１とを接続する横挿し型の細線同軸ケーブル用コネクタ１は、細線同軸ケーブルＣ(以下、ケーブルＣと称する)の端部に設けられたケーブル側コネクタ２と、配線基板Ａ１に固定設置された基板側コネクタ３とを具備しており、その基本的な構造は、図１６〜図２０に示した従来の細線同軸ケーブル用コネクタＨに準じている。
【００２９】
上記ケーブル側コネクタ２は、ケーブルＣ，Ｃ…の並列方向に沿って延在する絶縁体２ｍに、各々のケーブルＣの先端部が装着されており、上記絶縁体２ｍの外部には、その長手方向(ケーブルＣ，Ｃ…の並列方向)に延在して、上記絶縁体２ｍの上面と左右の側面とを覆う、下向きのコ字状を呈するケーブル側接地板金部材２ｇが設けられている。
【００３０】
また、上記ケーブル側コネクタ２には、所定本数の信号用のケーブルＣ(ａ)，Ｃ(ａ)…と、一本の接地用のケーブルＣ(ｇ)とが装着されており、上記接地用のケーブルＣ(ｇ)は、絶縁体２ｍの長手方向(ケーブルＣ，Ｃ…の並列方向)における中央域に装着されている。
【００３１】
図２に示す如く、上記信号用のケーブルＣ(ａ)における外部導体Ｃｏは、上記ケーブル側接地板金部材２ｇと圧接やハンダ付け等の手段によって導通しており、またケーブルＣ(ａ)における中心導体Ｃｓ，Ｃｓ…は、絶縁体２ｍの先端部に設けられたケーブル側コンタクト２ｃ，２ｃ…と各々接続(ハンダ付け等)されている。
【００３２】
また、図３に示す如く、上記接地用のケーブルＣ(ｇ)における外部導体Ｃｏは、上記ケーブル側接地板金部材２ｇと圧接やハンダ付け等の手段によって導通しており、このケーブル側接地板金部材２ｇにおける中央域には、絶縁体２ｍの先端部に設けられたケーブル側接地コンタクト２ｐが一体に形成されて接続されている。なお、接地用のケーブルＣ(ｇ)における中心導体Ｃｓは何者にも接続されていない。
【００３３】
上記基板側コネクタ３は、ケーブル側コネクタ２の絶縁体２ｍを受容する絶縁体３ｍを有し、この絶縁体３ｍには、図２に示す如く、ケーブル側コネクタ２との結合時にケーブル側コンタクト２ｃ，２ｃ…と個々に接触導通する基板側コンタクト３ｃ，３ｃ…が設けられ、これら基板側コンタクト３ｃ，３ｃ…は絶縁体３ｍの外部に延び、配線基板Ａ１に形成された配線パターンＡ１ｓ，Ａ１ｓ…(図１参照)と、ハンダ付け等の手段によって接続されている。
【００３４】
また、上記基板側コネクタ３の絶縁体３ｍには、図３に示す如く、ケーブル側コネクタ２との結合時にケーブル側接地コンタクト２ｐと接触導通する基板側接地コンタクト３ｐが設けられ、この基板側接地コンタクト３ｐは絶縁体３ｍの外部に延び、配線基板Ａ１に形成された接地パターンＡ１ｈと、ハンダ付け等の手段によって接続されている。
【００３５】
また、上記絶縁体３ｍの外部には、基板側コネクタ３に結合した状態におけるケーブル側コネクタ２の上面と左右の側面とを囲繞する、下向きのコ字状を呈する基板側接地板金部材３ｇが設けられており、この基板側接地板金部材３ｇにおける左右の側板は、配線基板Ａ１に形成された接地パターンＡ１ｇ，Ａ１ｇと、ハンダ付け等の手段によって接続されている。
【００３６】
さらに、上記基板接地板金部材３ｇにおける左右の側板には、それぞれ内方に向けて舌片(図示せず)が突出形成されており、基板側コネクタ３にケーブル側コネクタ２を結合した際、上記舌片(図示せず)がケーブル側コネクタ２のケーブル側接地板金部材２ｇと接触することで、ケーブルＣ(ａ)およびＣ(ｇ)の外部導体Ｃｏが、ケーブル側接地板金部材２ｇと基板側接地板金部材３ｇとを介して配線基板Ａ１の接地パターンＡ１ｇと導通することとなる。
【００３７】
上述した如き構成の細線同軸ケーブル用コネクタ１によれば、ケーブル側コネクタ２と基板側コネクタ３とを結合した際、ケーブル側接地板金部材２ｇの少なくとも中央域と導通するケーブル側接地コンタクト２ｐと、配線基板Ａ１の接地パターンＡ１ｈに接続された基板側接地コンタクト３ｐとが接触導通することで、ケーブル側コネクタ２の幅方向の全域に亘ってケーブルＣ，Ｃ…のグランドが強化され、もってコネクタおよび細線同軸ケーブルから放射するノイズを可及的に抑えることが可能となる。
【００３８】
さらに、上述の如くノイズの放射が抑えられることで、上記細線同軸ケーブル用コネクタ１を採用した携帯電話機電話機等の電子機器においては、ノイズ対策部品やシールドケースの実装不要とすることも可能となる。
【００３９】
図４および図５は、上述した細線同軸ケーブル用コネクタ１の変形例であるが、ケーブル側コネクタ２には信号用のケーブルＣ(ａ)のみが装着され、接地用のケーブルＣ(ｇ)が装着されていないこと以外、図１〜図３に示した細線同軸ケーブル用コネクタ１と変わるところはなく、このような構成においてもケーブル側コネクタ２の幅方向の全域に亘ってケーブルＣ，Ｃ…のグランドが強化され、もってコネクタおよび細線同軸ケーブルから放射するノイズを可及的に抑え得ることは言うまでもない。
【００４０】
一方、図８〜図１０に示す如く、上記細線同軸ケーブルＣ，Ｃ…と配線基板Ａ２とを接続する縦挿し型の細線同軸ケーブル用コネクタ１０は、ケーブルＣの端部に設けられたケーブル側コネクタ２０と、配線基板Ａ２に固定設置された基板側コネクタ３０とを具備しており、その基本的な構造は、図２１〜図２５に示した従来の細線同軸ケーブル用コネクタＶに準じている。
【００４１】
上記ケーブル側コネクタ２０は、ケーブルＣ，Ｃ…の並列方向に沿って延在する絶縁体２０ｍに、各々のケーブルＣの先端部が装着されており、上記絶縁体２０ｍの外部には、その長手方向(ケーブルＣ，Ｃ…の並列方向)に延在して、上記絶縁体２０ｍの上面と左右の側面とを覆う、下向きのコ字状を呈するケーブル側接地板金部材２０ｇが設けられている。
【００４２】
また、上記ケーブル側コネクタ２０には、所定本数の信号用のケーブルＣ(ａ)，Ｃ(ａ)…と、一本の接地用のケーブルＣ(ｇ)とが装着されており、上記接地用のケーブルＣ(ｇ)は、絶縁体２０ｍの長手方向(ケーブルＣ，Ｃ…の並列方向)における中央域に装着されている。
【００４３】
図９に示す如く、上記信号用のケーブルＣ(ａ)における外部導体Ｃｏは、上記ケーブル側接地板金部材２０ｇと圧接やハンダ付け等の手段によって導通しており、またケーブルＣ(ａ)における中心導体Ｃｓ，Ｃｓ…は、絶縁体２０ｍの下方部に設けられたケーブル側コンタクト２０ｃ，２０ｃ…と各々接続(ハンダ付け等)されている。
【００４４】
また、図１０に示す如く、上記接地用のケーブルＣ(ｇ)における外部導体Ｃｏは、上記ケーブル側接地板金部材２０ｇと圧接やハンダ付け等の手段によって導通しており、このケーブル側接地板金部材２０ｇにおける中央域には、絶縁体２０ｍの下方部に設けられたケーブル側接地コンタクト２０ｐが一体に形成されて接続されている。なお、接地用のケーブルＣ(ｇ)における中心導体Ｃｓは何者にも接続されていない。
【００４５】
上記基板側コネクタ３０は、ケーブル側コネクタ２０の絶縁体２０ｍを受容する絶縁体３０ｍを有し、この絶縁体３０ｍには、図９に示す如く、ケーブル側コネクタ２０との結合時にケーブル側コンタクト２０ｃ，２０ｃ…と個々に接触導通する基板側コンタクト３０ｃ，３０ｃ…が設けられ、これら基板側コンタクト３０ｃ，３０ｃ…は絶縁体３０ｍの外部に延び、配線基板Ａ２に形成された配線パターンＡ２ｓ，Ａ２ｓ…(図８参照)と、ハンダ付け等の手段によって接続されている。
【００４６】
また、上記基板側コネクタ３０の絶縁体３０ｍには、図１０に示す如く、ケーブル側コネクタ２０との結合時にケーブル側接地コンタクト２０ｐと接触導通する基板側接地コンタクト３０ｐが設けられ、この基板側接地コンタクト３０ｐは絶縁体３０ｍの外部に延び、配線基板Ａ２に形成された接地パターンＡ２ｈ(図８参照)と、ハンダ付け等の手段によって接続されている。
【００４７】
また、上記絶縁体３０ｍの外部には、絶縁体３０ｍの背面と左右の側面とを覆う、前向きのコ字状を呈する基板側接地板金部材３０ｇが設けられており、この基板側接地板金部材３０ｇにおける左右の側板は、配線基板Ａ２に形成された接地パターンＡ２ｇ，Ａ２ｇと、ハンダ付け等の手段によって接続されている。
【００４８】
上記基板側コネクタ３０にケーブル側コネクタ２０を結合した際、基板側接地板金部材３０ｇにおける左右の側板と、ケーブル側コネクタ２０におけるケーブル側接地板金部材２０ｇにおける左右の側板とが互いに接触することで、ケーブルＣ(ａ)およびＣ(ｇ)の外部導体Ｃｏが、ケーブル側接地板金部材２０ｇと基板側接地板金部材３０ｇとを介して配線基板Ａ２の接地パターンＡ２ｇと導通することとなる。
【００４９】
上述した如き構成の細線同軸ケーブル用コネクタ１０によれば、ケーブル側コネクタ２０と基板側コネクタ３０とを結合した際、ケーブル側接地板金部材２０ｇの少なくとも中央域と導通するケーブル側接地コンタクト２０ｐと、配線基板Ａ２の接地パターンＡ２ｈに接続された基板側接地コンタクト３０ｐとが接触導通することで、ケーブル側コネクタ２０の幅方向の全域に亘ってケーブルＣ，Ｃ…のグランドが強化され、もってコネクタおよび細線同軸ケーブルから放射するノイズを可及的に抑えることが可能となる。
【００５０】
さらに、上述の如くノイズの放射が抑えられることで、上記細線同軸ケーブル用コネクタ１０を採用した携帯電話機電話機等の電子機器においては、ノイズ対策部品やシールドケースの実装不要とすることも可能となる。
【００５１】
図１１および図１２は、上述した細線同軸ケーブル用コネクタ１０の変形例であるが、ケーブル側コネクタ２０には信号用のケーブルＣ(ａ)のみが装着され、接地用のケーブルＣ(ｇ)が装着されていないこと以外、図８〜図１０に示した細線同軸ケーブル用コネクタ１０と変わるところはなく、このような構成においてもケーブル側コネクタ２０の幅方向の全域に亘ってケーブルＣ，Ｃ…のグランドが強化され、もってコネクタおよび細線同軸ケーブルから放射するノイズを可及的に抑え得ることは言うまでもない。
【００５２】
ここで、図１〜図３に示した配線基板Ａ１と、図８〜図１０に示した配線基板Ａ２とは、上述した細線同軸ケーブル用コネクタ１および細線同軸ケーブル用コネクタ１０を介して、複数本の並列したケーブルＣ，Ｃ…によって互いに接続されており、接地用のケーブルＣ(ｇ)によって配線基板Ａ１の接地パターンと配線基板Ａ２の接地パターンとを接続し、グランドを共通とすることによって配線基板Ａ１と配線基板Ａ２とを同電位とするように構成されている。
【００５３】
図６および図７に示した横挿し型の細線同軸ケーブル用コネクタ１′は、ケーブルＣ，Ｃ…の端部に設けられたケーブル側コネクタ２′と、配線基板Ａ１′に固定設置された基板側コネクタ３′とを具備しており、その基本的な構造は、図１〜図３に示した細線同軸ケーブル用コネクタ１に準じている。
【００５４】
図６の上半域に示す如く、ケーブル側コネクタ２′に装着されている複数本の並列したケーブルＣ，Ｃ…のうち、信号のノイズが大きい特定のケーブルＣ(ｎ)が存在する場合、そのケーブルＣ(ｎ)の近傍に接地用のケーブルＣ(ｇ)を配置している。
【００５５】
因みに、ケーブルＣ(ｎ)の近傍とは、対象となるケーブルＣ(ｎ)から左右に２〜３本の範囲を指しており、実施例においては特定のケーブルＣ(ｎ)の一側方に隣接させて接地用のケーブルＣ(ｇ)が配置されている。
【００５６】
上記信号用のケーブルＣ(ｎ)は、図２に示した信号用のケーブルＣ(ａ)と同じく、中心導体がケーブル側コンタクトに導通し、外部導体がケーブル側接地板金部材に導通しており、ケーブル側コネクタ２′と基板側コネクタ３′とが結合した際、上記ケーブル側コンタクトは基板側コンタクトと接触して配線基板Ａ１′の配線パターンＡ１ｓ′と導通する。
【００５７】
一方、上記接地用のケーブルＣ(ｇ)は、図３に示した接地用のケーブルＣ(ｇ)と同じく、外部導体がケーブル側接地板金部材に導通しており、ケーブル側コネクタ２′と基板側コネクタ３′とが結合した際、ケーブル側接地板金部材から延びるケーブル側接地コンタクトが基板側接地コンタクトと接触し、ケーブルＣ(ｇ)の外部導体が配線基板Ａ１′の接地パターンＡ１ｈ′と導通する。
【００５８】
上述した如く、信号のノイズが大きい特定のケーブルＣ(ｎ)の近傍に、接地用のケーブルＣ(ｇ)を配置することにより、ケーブルＣ(ｎ)から放射されるノイズ成分が上記接地用のケーブルＣ(ｇ)を介して配線基板Ａ１のグランドに放出され、ケーブルＣ(ｎ)からのノイズの放射量を少なくすることができ、特に携帯電話機等の通信機能を備えている各種電子機器においては、極めて有効なＥＭＣ(Ｅlectro Ｍagnetic Ｃompatibility)、ＥＭＩ(Ｅlectro Ｍagnetic Interference)、およびＥＭＳ(Ｅlectro Ｍagnetic Ｓusceptibility)の対策となる。
【００５９】
図６の下半域に示す如く、ケーブル側コネクタ２′に装着されている複数本の並列したケーブルＣ，Ｃ…のうち、信号のノイズが大きい特定のケーブルＣ(ｎ)が存在する場合、そのケーブルＣ(ｎ)を挟んで接地用のケーブルＣ(ｇ)，Ｃ(ｇ)を配置することも有効である。
【００６０】
また、図７の上半域に示す如く、ケーブル側コネクタ２′に装着されている複数本の並列したケーブルＣ，Ｃ…のうち、信号のノイズが大きい特定のケーブルＣ(ｎ)が２本存在する場合、そのケーブルＣ(ｎ)，Ｃ(ｎ)の間に接地用のケーブルＣ(ｇ)を配置することも有効である。
【００６１】
さらに、図７の下半域に示す如く、２本の信号のノイズが大きい特定のケーブルＣ(ｎ)，Ｃ(ｎ)が間隔をおいて存在する場合、それらのケーブルＣ(ｎ)，Ｃ(ｎ)の間であって、放射されるノイズの大きい、あるいはノイズを抑える必要性の高いケーブルＣ(ｎ)に接近させて接地用のケーブルＣ(ｇ)を配置することが有効である。
【００６２】
また、特に図示することはしないが、信号のノイズが大きい特定のケーブルや、ノイズを抑える必要性の高いケーブルが数多く存在する場合、ケーブルの並列方向におけるスペースの占有が許されるのであれば、これら特定のケーブル(信号用のケーブル)と接地用のケーブルとを交互に配置することも可能である。
【００６３】
図１３および図１４に示した縦挿し型の細線同軸ケーブル用コネクタ１０′は、ケーブルＣ，Ｃ…の端部に設けられたケーブル側コネクタ２０′と、配線基板Ａ２′に固定設置された基板側コネクタ３０′とを具備しており、その基本的な構造は、図８〜図１０に示した細線同軸ケーブル用コネクタ１０に準じている。
【００６４】
図１３の上半域に示す如く、ケーブル側コネクタ２０′に装着されている複数本の並列したケーブルＣ，Ｃ…のうち、信号のノイズが大きい特定のケーブルＣ(ｎ)が存在する場合、そのケーブルＣ(ｎ)の近傍に接地用のケーブルＣ(ｇ)を配置している。
【００６５】
上記信号用のケーブルＣ(ｎ)は、図９に示した信号用のケーブルＣ(ａ)と同じく、中心導体がケーブル側コンタクトに導通し、外部導体がケーブル側接地板金部材に導通しており、ケーブル側コネクタ２０′と基板側コネクタ３０′とが結合した際、上記ケーブル側コンタクトは基板側コンタクトと接触して配線基板Ａ２′の配線パターンＡ２ｓ′と導通する。
【００６６】
一方、上記接地用のケーブルＣ(ｇ)は、図１０に示した接地用のケーブルＣ(ｇ)と同じく、外部導体がケーブル側接地板金部材に導通しており、ケーブル側コネクタ２０′と基板側コネクタ３０′とが結合した際、ケーブル側接地板金部材から延びるケーブル側接地コンタクトが基板側接地コンタクトと接触し、ケーブルＣ(ｇ)の外部導体が配線基板Ａ２′の接地パターンＡ２ｈ′と導通する。
【００６７】
上述した如く、信号のノイズが大きい特定のケーブルＣ(ｎ)の近傍に、接地用のケーブルＣ(ｇ)を配置することにより、ケーブルＣ(ｎ)から放射されるノイズ成分が上記接地用のケーブルＣ(ｇ)を介して配線基板Ａ２のグランドに放出され、ケーブルＣ(ｎ)からのノイズの放射量を少なくすることができ、特に携帯電話機等の通信機能を備えている各種電子機器においては、極めて有効なＥＭＣ、ＥＭＩ、およびＥＭＳの対策となる。
【００６８】
図１３の下半域に示す如く、ケーブル側コネクタ２０′に装着されている複数本の並列したケーブルＣ，Ｃ…のうち、信号のノイズが大きい特定のケーブルＣ(ｎ)が存在する場合、そのケーブルＣ(ｎ)を挟んで接地用のケーブルＣ(ｇ)，Ｃ(ｇ)を配置することも有効である。
【００６９】
また、図１４の上半域に示す如く、ケーブル側コネクタ２０′に装着されている複数本の並列したケーブルＣ，Ｃ…のうち、信号のノイズが大きい特定のケーブルＣ(ｎ)が２本存在する場合、そのケーブルＣ(ｎ)，Ｃ(ｎ)の間に接地用のケーブルＣ(ｇ)を配置することも有効である。
【００７０】
さらに、図１４の下半域に示す如く、２本の信号のノイズが大きい特定のケーブルＣ(ｎ)，Ｃ(ｎ)が間隔をおいて存在する場合、それらのケーブルＣ(ｎ)，Ｃ(ｎ)の間であって、放射されるノイズの大きい、あるいはノイズを抑える必要性の高いケーブルＣ(ｎ)に接近させて接地用のケーブルＣ(ｇ)を配置することが有効である。
【００７１】
また、特に図示することはしないが、信号のノイズが大きい特定のケーブルや、ノイズを抑える必要性の高いケーブルが数多く存在する場合、ケーブルの並列方向におけるスペースの占有が許されるのであれば、これら特定のケーブル(信号用のケーブル)と接地用のケーブルとを交互に配置することも可能である。
【００７２】
ここで、図６および図７等、または図１３および図１４等に示した何れの細線同軸ケーブル用コネクタにおいても、ケーブル側コネクタにおけるケーブル側接地板金部材の少なくとも中央域を、配線基板の接地パターンと導通させておくことが、ケーブル側コネクタの幅方向の全域に亘ってケーブルＣ，Ｃ…のグランドを強化する上で好ましいのは勿論である。
【００７３】
なお、上述した各実施例においては、本発明を携帯電話機の配線基板と複数本の並列した細線同軸ケーブルとを接続する細線同軸ケーブル用コネクタに適用した例を示したが、携帯電話機以外の様々な電子機器においても、本発明が極めて有効に適用し得るものであることは言うまでもない。
【図面の簡単な説明】
【００７４】
【図１】本発明に関わる細線同軸ケーブル用コネクタの実施例を示した平面図。
【図２】図１中の II−II 線断面図。
【図３】図１中の III−III 線断面図。
【図４】本発明に関わる細線同軸ケーブル用コネクタの実施例を示した平面図。
【図５】図４中の V−V 線断面図。
【図６】本発明に関わる細線同軸ケーブル用コネクタの実施例を示した平面図。
【図７】本発明に関わる細線同軸ケーブル用コネクタの実施例を示した平面図。
【図８】本発明に関わる細線同軸ケーブル用コネクタの実施例を示した平面図。
【図９】図８中の IX−IX 線断面図。
【図１０】図１中の X−X 線断面図。
【図１１】本発明に関わる細線同軸ケーブル用コネクタの実施例を示した平面図。
【図１２】図１１中の XII−XII 線断面図。
【図１３】本発明に関わる細線同軸ケーブル用コネクタの実施例を示した平面図。
【図１４】本発明に関わる細線同軸ケーブル用コネクタの実施例を示した平面図。
【図１５】従来の細線同軸ケーブル用コネクタを用いて２枚の配線基板を細線同軸ケーブルにより互いに接続した構成を示す全体斜視図。
【図１６】従来の横挿し型の細線同軸ケーブル用コネクタを示す平面図。
【図１７】図１６中の XVII−XVII 線断面図。
【図１８】図１６に示した細線同軸ケーブル用コネクタの分離した状態を示す断面図。
【図１９】図１６中の XIX−XIX 線断面図。
【図２０】図１９中の XX−XX 線断面図。
【図２１】従来の縦挿し型の細線同軸ケーブル用コネクタを示す平面図。
【図２２】図２１中の XXII−XXII 線断面図。
【図２３】図２１に示した細線同軸ケーブル用コネクタの分離した状態を示す断面図。
【図２４】図２１中の XXIV−XXIV 線断面図。
【図２５】図２１に示した細線同軸ケーブル用コネクタの基板側コネクタを示す平面図。
【符号の説明】
【００７５】
１，１０…細線同軸ケーブル用コネクタ、
２，２０…ケーブル側コネクタ、
２ｍ，２０ｍ…絶縁体、
２ｇ，２０ｇ…ケーブル側接地板金部材、
２ｃ，２０ｃ…ケーブル側コンタクト、
２ｐ，２０ｐ…ケーブル側接地コンタクト、
３，３０…基板側コネクタ、
３ｍ，３０ｍ…絶縁体、
３ｇ，３０ｇ…基板側接地板金部材、
３ｃ，３０ｃ…基板側コンタクト、
３ｐ，３０ｐ…基板側接地コンタクト、
Ａ１…配線基板、
Ａ１ｇ…接地パターン、
Ａ１ｐ…接地パターン、
Ａ１ｓ…配線パターン、
Ａ２…配線基板、
Ａ２ｇ…接地パターン、
Ａ２ｐ…接地パターン、
Ａ２ｓ…配線パターン、
Ｃ…細線同軸ケーブル、
Ｃｓ…中心導体、
Ｃｏ…外部導体。
【図１】
2006269112.tif 000003
【図２】
2006269112.tif 000004
【図３】
2006269112.tif 000005
【図４】
2006269112.tif 000006
【図５】
2006269112.tif 000007
【図６】
2006269112.tif 000008
【図７】
2006269112.tif 000009
【図８】
2006269112.tif 000010
【図９】
2006269112.tif 000011
【図１０】
2006269112.tif 000012
【図１１】
2006269112.tif 000013
【図１２】
2006269112.tif 000014
【図１３】
2006269112.tif 000015
【図１４】
2006269112.tif 000016
【図１５】
2006269112.tif 000017
【図１６】
2006269112.tif 000018
【図１７】
2006269112.tif 000019
【図１８】
2006269112.tif 000020
【図１９】
2006269112.tif 000021
【図２０】
2006269112.tif 000022
【図２１】
2006269112.tif 000023
【図２２】
2006269112.tif 000024
【図２３】
2006269112.tif 000025
【図２４】
2006269112.tif 000026
【図２５】
2006269112.tif 000027